(57)【要約】      （修正有）【課題】本考案は、バックライトモジュール及びディスプレイモジュールを提供する。【解決手段】バックライトモジュールは、反射面１００及び出光面１０１を有する導光板本体１１と該導光板本体１１の該出光面１０１に貼り付けられたコア層１２を有し、偏光を出力するための偏光導光板１０と、一面に該コア層１２を向く複数のプリズム２１を有するプリズムシート２０と、該導光板本体１１の該反射面１００に配置された反射板３０と、を含む。【選択図】図２
0003213629.tif 000002
【実用新案登録請求の範囲】
【請求項１】
反射面及び出光面を有する導光板本体と前記導光板本体の前記出光面に貼り付けられているコア層を有し、偏光を出力するための偏光導光板と、
一面に前記コア層を向く複数のプリズムを有するプリズムシートと、
前記導光板本体の前記反射面に配置されている反射板と、
を含む、ことを特徴とするバックライトモジュール。
【請求項２】
前記導光板本体の前記出光面は、滑らかな表面であり、延伸して突出するように設置されている複数の導光構造のうちの一つを有することを特徴とする、請求項１に記載のバックライトモジュール。
【請求項３】
前記コア層は、複数の複屈折率高分子層を有することを特徴とする、請求項１〜２の何れかに記載のバックライトモジュール。
【請求項４】
前記プリズムシートの基材の配向角度は５０度であることを特徴とする、請求項１〜３の何れかに記載のバックライトモジュール。
【請求項５】
前記複数のプリズムの突出屈折角は６８度であることを特徴とする、請求項１〜４の何れかに記載のバックライトモジュール。
【請求項６】
前記複数の複屈折率高分子層は少なくとも３００層以上であることを特徴とする、請求項１〜５の何れかに記載のバックライトモジュール。
【請求項７】
前記バックライトモジュールの前方に位置している液晶モジュールと、
請求項１〜６の何れかに記載のバックライトモジュールと、
を含むことを特徴とする、ディスプレイモジュール。
【考案の詳細な説明】
【技術分野】
【０００１】
本考案は、バックライトモジュール及びディスプレイモジュールに関する。特に、導光板が光学偏光機能を有するバックライトモジュール及びディスプレイモジュールに関する。
【背景技術】
【０００２】
図１に示すように、従来技術の液晶ディスプレイのバックライトモジュールは、主に、平板状を呈する導光板１１と、プリズムシート２０と、輝度増強フィルム２００と、反射板３０とを含み、該反射板３０は、該導光板１１の一側に位置しており、光線は、該反射板３０に反射されて該導光板１１に入射した後、該導光板１１において全反射の方式で進み、この時、該導光板１１の裏面に設置された反射構造により全反射が破壊されてから、該導光板１１の出光面から射出されることができ、該導光板１１から射出された光線は全方向、非偏光の光線であり、該全方向、非偏光の光線が上へ従来のプリズムシート２０に射出する時、従来のプリズムシート２０が一次の屈折により光を射出するという原理であるため、光の方向性は従来のプリズムシート２０の基材の光軸の影響を受けやすく、全方向、非偏光の光線は十分に活用されていない。その結果、上記理由によりバックライトモジュール全体の光使用率が相対的に低下された。そのため、該プリズムシート２０に適用できる偏光を発生するように、上記従来のバックライトモジュールの構造をさらに改良しなければならない。
【考案の概要】
【０００３】
前記従来技術の欠点に鑑みて、本考案は、主に、バックライトモジュールを提供することを目的とし、バックライトモジュールの内部構造と構成を改良することにより、導光板から射出される光線を偏光させ、光学偏光効果をさらに著しくさせ、全体がより優れた光利用効能を持たせる目的を達成し、バックライトモジュールの全体的な厚さ及び製造コストを低減させることにより、さらに製造コストと薄型化のディスプレイの設計構造を両立させる目的を達成することができる。
【０００４】
前記目的及びその他の目的を達成するために、本考案のバックライトモジュールは、反射面及び出光面を有する導光板本体と該導光板本体の該出光面に貼り付けられたコア層を有し、偏光を出力するための偏光導光板と、一面に該コア層を向く複数のプリズムを有するプリズムシートと、該導光板本体の該反射面に配置された反射板と、を含む。
【０００５】
本考案のバックライトモジュールを使用し始める時、該コア層を有する該偏光導光板により、上表面層及び下表面層を有する従来の輝度増強フィルムを配置する必要とせずに、該導光板本体の該出光面に該偏光を出力させ、そして該導光板本体により発生する該偏光は、光軸方向に対応する該プリズムシートを経て光学偏光効果が向上され、バックライトモジュール全体により優れた光利用効能を持たせることに役立ち、該プリズムシートの配向角度又は該複数のプリズムの突出屈折角の角度のうちの１つが変更される場合、本考案もそれと共に該コア層の特性を変え、前記該プリズムシートの配向角度又は該複数のプリズムの突出屈折角の角度に応じて、異なる特性の偏光を発生させなければならず、つまり、異なる特性の該光学偏光導光板は、該プリズムシートの配向角度又は該複数のプリズムの突出屈折角の角度に合わせることで、最適な光学偏光効果を維持しなければならない。
【０００６】
また、組み立てる時、輝度増強フィルムの位置合わせが省略されたため、厚さの減少、工程の減少及び製造コストの削減と薄型化ディスプレイの設計構造の目的を達成することができ、且つ、該コア層が該プリズムシート及び該光学偏光導光板の該導光板本体の間に介在しているため、該プリズムシートの該複数のプリズムがバックライトモジュールに圧迫される時、該導光板本体が損傷されないように保護することができる。
【図面の簡単な説明】
【０００７】
【図１】従来技術の液晶ディスプレイのバックライトモジュールを示す透光模式図である。
【図２】本考案のバックライトモジュールを示す構造模式図である。
【図３】本考案のバックライトモジュールを示す構造模式図である。
【図４】本考案の光学偏光導光板の実施例を示す構造模式図である。
【図５】本考案の光学偏光導光板のもう一つの実施例を示す構造模式図である。
【図６】本考案のバックライトモジュールを示す透光模式図である。
【図７】本考案のバックライトモジュールと液晶モジュールが結合された構造を示す模式図である。
【考案を実施するための形態】
【０００８】
以下、特定の具体的な実施例により本考案の実施形態を説明し、この技術に熟知する当業者であれば、本発明に掲載された内容より本考案のその他の利点及び効果を容易に想到できる。本考案はその他の異なる具体的な実施例により実施又は応用されることができ、本考案の明細書における各細かい内容も様々な異なる観点及び応用に基づいて本考案の主旨に反しない範囲で様々な修飾及び変更を行うことができる。
【０００９】
注意すべきことは、この技術に熟知する技術者に理解し閲覧させるために、本明細書の図面に示された構造、割合、サイズなどは、いずれも明細書に掲示された内容に合わせられ、本考案の実施可能な限定条件を限定するものではなく、そのため、技術的な実際の意義を持たず、何れの構造の修飾、割合関係の変更又はサイズの調整は、本考案により発生可能な効果及び達成できる目的に影響を与えない限り、いずれも本考案により掲載される技術内容の包括できる範囲内に含まれるべきである。
【００１０】
以下、本考案の実施例に基づき、バックライトモジュールを説明する。
【００１１】
図２〜図７に示すように、本考案のバックライトモジュールは、反射面１００及び出光面１０１を有する導光板本体１１と該導光板本体１１の該出光面１０１に貼り付けられたコア層１２を有し、偏光を出力するための偏光導光板１０と、一面に該コア層１２を向く複数のプリズム２１を有するプリズムシート２０と、該導光板本体１１の該反射面１００に配置された反射板３０とを含む。
【００１２】
該コア層１２は、従来の輝度増強フィルムから上表面及び下表面を除去することにより形成され、貼り付けることで該導光板本体１１に設置されている（図２〜図４に示される）。
【００１３】
可能な実施例において、該導光板本体１１の該出光面１０１は滑らかな表面（図４に示される）である。
【００１４】
可能なもう一つの実施例において、該導光板本体１１の該出光面１０１は、延伸して突出するように設置された複数の導光構造１０２のうちの一つを有する（図５に示される）。
【００１５】
該コア層１２は複数の複屈折率高分子層を有し、該プリズムシート２０の基材の配向角度は５０度であり、該複数のプリズム２１の突出屈折角は６８度であり、該複数の複屈折率高分子層は少なくとも３００層以上である。
【００１６】
図７に示すように、本考案は、さらに、該バックライトモジュールの前方に位置している液晶モジュール３００と、前記バックライトモジュールとを備えるディスプレイモジュール４００を含む。
【００１７】
本考案のバックライトモジュールは、該コア層１２を有する該偏光導光板１０により、該導光板本体１１の該出光面１０１に該偏光を出力させる（図３〜図６に示される）ことができ、従来の上表面層及び下表面層を有する輝度増強フィルム２００を配置する必要とせず（図１に示される）、そして、該導光板本体１１により発生される偏光は、光軸方向に対応する該プリズムシート２０を経て、光学偏光の効果が向上され、バックライトモジュール全体により優れた光利用効能を持たせることに役立ち、該プリズムシート２０の配向角度又は該複数のプリズム２１の突出屈折角の角度のうちの１つが変更される場合、本考案もそれと共に該コア層１２の特性を変え、前記該プリズムシート２０の配向角度又は該複数のプリズム２１の突出屈折角の角度に応じて、異なる特性の偏光を発生させなければならず、つまり、異なる特性の該偏光導光板１０は、該プリズムシート２０の配向角度又は該複数のプリズム２１の突出屈折角の角度に合せられることで、最適な光学偏光効果を維持しなければならない。
【００１８】
さらに、本考案によれば、バックライトモジュールを組み立てる時、一層の輝度増強フィルム（図１に示される）が省略されたため、厚さの減少、工程の減少且つ製造コストの削減と薄型化ディスプレイの設計構造の目的を達成することができ、且つ、該コア層１２が該プリズムシート２０及び該光学偏光導光板１０の該導光板本体１１の間に介在しているため、該プリズムシート２０の該複数のプリズム２１がバックライトモジュールに圧迫される時、該導光板本体１１が損傷されないように保護することができる。
【００１９】
本願の複数の例示的な実施例を参照して実施形態を説明したが、当業者であれば様々なその他の変更及び実施例を想到でき、これらの変更及び実施例は本願の原理の精神及び範囲内に属することを理解すべきである。特に、本願、図面及び請求の範囲内に、主題に合わせて設置した構成部分及び／又は設置に対して様々な変更や修飾を行うことができる。構成部分及び／又は設置に対して行った変更や修飾のほか、置換可能な用途は当業者にとって容易に想到できるものである。
【符号の説明】
【００２０】
１０  偏光導光板、
１１  導光板本体、
１２  コア層、
２０  プリズムシート、
２１  プリズム、
３０  反射板、
１００  反射面、
１０１  出光面、
１０２  導光構造、
２００  輝度増強フィルム、
３００  液晶モジュール、
４００  ディスプレイモジュール。
【図１】
0003213629.tif 000003
【図２】
0003213629.tif 000004
【図３】
0003213629.tif 000005
【図４】
0003213629.tif 000006
【図５】
0003213629.tif 000007
【図６】
0003213629.tif 000008
【図７】
0003213629.tif 000009
【手続補正書】
【提出日】平成29年9月18日(2017.9.18)
【手続補正１】
【補正対象書類名】実用新案登録請求の範囲
【補正対象項目名】全文
【補正方法】変更
【補正の内容】
【実用新案登録請求の範囲】
【請求項１】
反射面及び出光面を有する導光板本体と前記導光板本体の前記出光面に貼り付けられているコア層を有し、偏光を出力するための偏光導光板と、
一面に前記コア層を向く複数のプリズムを有するプリズムシートと、
前記導光板本体の前記反射面に配置されている反射板と、
を含む、ことを特徴とするバックライトモジュール。
【請求項２】
前記導光板本体の前記出光面は、滑らかな表面であり、延伸して突出するように設置されている複数の導光構造のうちの一つを有することを特徴とする、請求項１に記載のバックライトモジュール。
【請求項３】
前記コア層は、複数の複屈折率高分子層を有することを特徴とする、請求項１〜２の何れかに記載のバックライトモジュール。
【請求項４】
前記プリズムシートの基材の配向角度は５０度であることを特徴とする、請求項１〜３の何れかに記載のバックライトモジュール。
【請求項５】
前記複数のプリズムの突出屈折角は６８度であることを特徴とする、請求項１〜４の何れかに記載のバックライトモジュール。
【請求項６】
前記複数の複屈折率高分子層は少なくとも３００層以上であることを特徴とする、請求項３に記載のバックライトモジュール。
【請求項７】
前記バックライトモジュールの前方に位置している液晶モジュールと、
請求項１〜６の何れかに記載のバックライトモジュールと、
を含むことを特徴とする、ディスプレイモジュール。